(57)【特許請求の範囲】
【請求項１】
シート材を折り曲げることにより形成され、側壁と端壁と上蓋とを有する、包装用容器であって、
前記上蓋は、互いに重なり合って包装用容器を閉じる側壁側フラップと、該側壁側フラップと一体的である端壁側フラップとを有し、
該端壁側フラップは、前記端壁に押圧された状態で位置するように下方に折り曲げられることができる三角形の翼部をなし、
且つ、前記翼部が下方に折り曲げられたときに内側になる面の前記端壁の近傍に、該端壁側フラップの下方への折り曲げ線よりも前記包装容器の上側に左右に延びる横全切線とその中央より前記端壁の下方に延在する縦全切線とを有し、前記横全切線の両端より前記縦全切線の下端を結ぶ、斜めの折罫が設けられ、
前記端壁には、前記端壁側フラップの上端から前記端壁の下方に延在する中央折罫が形成され、これにより、端壁は、前記内側に屈曲することができ、
前記翼部が水平線を越えて前記端壁方向下方に折り曲げられたとき、前記端壁は内側に屈曲せしめられると共に、前記側壁は互いに近接せしめられることができ、
内側に屈曲した前記端壁に対して下方向に押圧された前記翼部により、前記側壁側フラップは、容器の上部において、閉じかつ重なり合った状態に保持されることを特徴とする包装用容器。
【請求項２】
前記端壁側フラップに三角形の折罫が予め付けられており、前記側壁側フラップを共に折り曲げたときに前記三角形の翼部が形成されやすくなっていることを特徴とする請求項１記載の包装用容器。
【請求項３】
前記包装用容器の前記端壁の下端部には、下端の両隅からそれぞれ上方内側に延びて、前記中央折罫上のある一点で交差する２本の罫線が設けられていることを特徴とする請求項１または２に記載の包装用容器。
【請求項４】
重なり合ったときに上になる前記側壁側フラップと、これに隣接する前記端壁側フラップとの間に切り欠きが端縁より形成され、
これにより、前記翼部が下方に折り曲げられた時、前記端壁が内側に屈曲すると共に前記側壁が互いに近接する方向に移動して、上になる前記側壁側フラップが、下になる前記
側壁側フラップの上に容易に重なるようにしたことを特徴とする請求項１乃至３のいずれか1項に記載の包装用容器。
【発明の詳細な説明】
【技術分野】
【０００１】
本発明は、包装用容器に関するものである。
【背景技術】
【０００２】
従来から、商品を保護し輸送を容易にするために、厚紙やダンボール等の包装用容器が使用されている。また、店頭において展示した商品を、顧客の持ち帰りに便利なように
収納する包装用容器も使用されている。
【０００３】
このような、店頭で商品を収納する包装用容器は、その場で簡単に蓋が閉められると便利である。例えば、靴、菓子等の食品、園芸用の製品、薬品、及び化粧品などの販売に特に適している。
【０００４】
このような、包装用容器として、図８から図１１に示すものが有った。図８は、従来の包装用容器の一例の展開図である。図９は、従来の包装用容器の一例の底を組み立てた状態の斜視図である。図１０は、従来の包装用容器の一例の底を組み立て、側壁側フラップを倒している状態の説明図である。図１１は、従来の包装用容器の一例の側壁側フラップを倒し、端壁側フラップを下方に折り曲げた状態の説明図である。
【０００５】
すなわち、図８、図９のように、側壁１、２と端壁３、４と上蓋６とを有し、柔軟なシート材を折り曲げることにより形成され、上蓋６は、互いに重なり合って容器を閉じる側壁側フラップ７、８と、該側壁側フラップ７、８と一体的である端壁側フラップ９、１０とを有し、図１０、図１１のように、端壁側フラップ９、１０は、端壁３、４に押圧された状態で位置するように下方に折り曲げられることができる三角形の翼部２１、２２となり、端壁３、４には、端壁側フラップ９、１０の上端から該端壁３、４の長手方向下方に延在する中央折罫１１、１２が形成されて、これにより、端壁３、４は、内側に屈曲して凹部をつくることができ、翼部２１、２２が水平線を越えて端壁３、４方向下方に折り曲げられたとき、端壁３、４は内側に屈曲すると共に、側壁１、２が互いに近接して、内側に屈曲した端壁３、４に対して下方向に押圧された翼部２１、２２により、側壁側フラップ７、８は、容器の上部において、閉じかつ重なり合った状態に保持される、包装用容器があった。（特許文献１）
公知文献を以下に示す。
【先行技術文献】
【特許文献】
【０００６】
【特許文献１】特許第３１０１３２４号公報
【発明の概要】
【発明が解決しようとする課題】
【０００７】
上記の包装用容器は、簡単かつ迅速に上蓋を閉めることができるが、ちょっとした弾みで、翼部が上にあがってしまうことがあり、容器の上部の側壁側フラップが開いてしまうことがあった。
【０００８】
本発明は、簡単かつ迅速に蓋が閉められて、不用意に開いてしまうことのなく、収納した商品を保護できる包装用容器を提供することを課題とする。
【課題を解決するための手段】
【０００９】
本発明は係る課題に鑑みなされたものであり、請求項１の発明は、シート材を折り曲げることにより形成され、側壁と端壁と上蓋とを有する、包装用容器であって、
前記上蓋は、互いに重なり合って包装用容器を閉じる側壁側フラップと、該側壁側フラップと一体的である端壁側フラップとを有し、
該端壁側フラップは、前記端壁に押圧された状態で位置するように下方に折り曲げられることができる三角形の翼部をなし、
且つ、前記翼部が下方に折り曲げられたときに内側になる面の前記端壁の近傍に、該端壁側フラップの下方への折り曲げ線よりも前記包装容器の上側に左右に延びる横全切線とその中央より前記端壁の下方に延在する縦全切線とを有し、前記横全切線の両端より前記縦全切線の下端を結ぶ、斜めの折罫が設けられ、
前記端壁には、前記端壁側フラップの上端から前記端壁の下方に延在する中央折罫が形成され、これにより、端壁は、前記内側に屈曲することができ、
前記翼部が水平線を越えて前記端壁方向下方に折り曲げられたとき、前記端壁は内側に屈曲せしめられると共に、前記側壁は互いに近接せしめられることができ、
内側に屈曲した前記端壁に対して下方向に押圧された前記翼部により、前記側壁側フラップは、容器の上部において、閉じかつ重なり合った状態に保持されることを特徴とする包装用容器である。
【００１０】
本発明の包装用容器は、以上のような構成であって、簡単かつ迅速に上蓋を閉めることができる。そして、翼部には、下方に折り曲げられたときに内側になる面の端壁の近傍に、左右に延びる横全切線とその中央より端壁の下方に延在する縦全切線とを有し、横全切線の両端より縦全切線の下端を結ぶ、斜めの折罫が設けられているので、ちょっとした弾みで、翼部が上にあがってしまうことがなく、不用意に容器の上部の側壁側フラップが開いてしまうことがなく、収納した商品を安心して収納して保護することができる。
【００１１】
本発明の請求項２の発明は、前記端壁側フラップに三角形の折罫が予め付けられており、前記側壁側フラップを共に折り曲げたときに前記三角形の翼部が形成されやすくなっていることを特徴とする請求項１記載の包装用容器である。
【００１２】
本発明はさらに、端壁側フラップに三角形の折罫が予め付けられているので、側壁側フラップを共に折り曲げたときに、端壁側フラップが三角形の翼部を形成しやすい。
【００１３】
本発明の請求項３の発明は、前記包装用容器の前記端壁の下端部には、下端の両隅からそれぞれ上方内側に延びて、前記中央折罫上のある一点で交差する２本の罫線が設けられていることを特徴とする請求項１または２に記載の包装用容器である。
【００１４】
本発明はまた、端壁の下端部に下端の両隅からそれぞれ上方内側に延びて、前記中央折罫上のある一点で交差する２本の罫線が設けられているので、翼部が水平線を越えて端壁方向下方に折り曲げられたとき、端壁が内側に屈曲しやすい。
【００１５】
本発明の請求項４の発明は、重なり合ったときに上になる前記側壁側フラップと、これに隣接する前記端壁側フラップとの間に切欠きが端縁より形成され、
これにより、前記翼部が下方に折り曲げられた時、前記端壁が内側に屈曲すると共に前記側壁が互いに近接する方向に移動して、上になる前記側壁側フラップが、下になる前記側壁側フラップの上に容易に重なるようにしたことを特徴とする請求項１乃至３のいずれか1項に記載の包装用容器である。
【００１６】
本発明はさらにまた、重なり合ったときに上になる側壁側フラップと、これに隣接する端壁側フラップとの間に切欠きが端縁より形成されているので、翼部が下方に折り曲げられた時、端壁が内側に屈曲すると共に側壁が互いに近接する方向に移動して、上になる側壁側フラップが、下になる側壁側フラップの上に容易に重なるようなる。
【発明の効果】
【００１７】
本発明の包装用容器は、以上のような構成であって、簡単かつ迅速に上蓋を閉めることができ、ちょっとした弾みで、翼部が上にあがってしまうことがなく、容器の上部の側壁側フラップが開いてしまって、不用意に開いてしまうことがなく、収納した商品を保護できる。
【００１８】
さらに本発明の包装用容器は、１枚のシート材から組み立てられ、構造も簡単で組み立てやすく、折り畳んで保管や輸送することができ、環境にやさしく、コスト的にも優良である。
【図面の簡単な説明】
【００１９】
【図１】本発明の包装用容器の一例の展開図である。
【図２】本発明の包装用容器の一例の底を組み立てた状態の正面図である。
【図３】本発明の包装用容器の一例の底を組み立てた状態の側面図である。
【図４】本発明の包装用容器の一例の底を組み立て、側壁側フラップを倒した状態の正面図である。
【図５】本発明の包装用容器の一例の底を組み立て、側壁側フラップを倒した状態の平面図である。
【図６】本発明の包装用容器の一例の側壁側フラップを倒し、端壁側フラップを下方に折り曲げた状態の正面図である。
【図７】本発明の包装用容器の一例の側壁側フラップを倒し、端壁側フラップを下方に折り曲げた状態の平面図である。
【図８】従来の包装用容器の一例の展開図である。
【図９】従来の包装用容器の一例の底を組み立てた状態の斜視図である。
【図１０】従来の包装用容器の一例の底を組み立て、側壁側フラップを倒している状態の説明図である。
【図１１】従来の包装用容器の一例の側壁側フラップを倒し、端壁側フラップを下方に折り曲げた状態の説明図である。
【発明を実施するための形態】
【００２０】
以下本発明を実施するための形態につき説明する。
本例の包装用容器は、シート材として、板紙、厚紙、段ボール、もしくはプラスチックシートを図１の展開図に示す形状に打ち抜き、折罫を設けたブランクを、折罫より折り曲げ、必要部分を接着して形成する。
【００２１】
尚、折罫は、押罫でも良いし、破線状やミシン目の切れ線でも良く、押罫と破線状やミシン目の切れ線を組み合わせたものでも良い。切れ線は、半切れ（シート材の層の途中まで切れた線）でも良いし、全切れ（シート材の層の全部が切れた線）でも良い。また、破線状やミシン目ではなく、実線状の半切れの切れ線（半切線）でも良い。
【００２２】
図１は本発明の包装用容器の一例の展開図である。図１の展開図のように、本例の包装用容器は２つの側壁１、２と、２つの端壁３、４とが交互に並んで設けられ、その一端には、糊代５が設けられている。これらの上方には、上蓋６となる、側壁側フラップ７，８と端壁側フラップ９、１０が一体となって設けられている。
【００２３】
端壁側フラップ９、１０には、上端の左右中央に１つの頂点を持ち、この頂点を挟む２辺のなす角が直角で、端壁３、４との境を底辺とする直角二等辺三角形となるように、折罫が三角形状に設けられている。また側壁側フラップ７、８と側壁１、２の境にも折罫が設けられている。
【００２４】
そして、端壁側フラップ９、１０の上端の左右中央の三角形状の折罫の頂点から、端壁３、４の下方に向かう中央折罫１１、１２が形成されている。また、端壁側フラップ９、１０と端壁３、４との境の折罫と、側壁側フラップ７、８と側壁１、２の境の折罫は略一直線状となっている。
【００２５】
端壁３、４の下方には、下端の両隅からそれぞれ上方内側に延び、中央折罫１１、１２上のある一点で交差する２本の折罫が設けられている。これにより、三角形の翼部２１、２２を下方に折り曲げられたとき、端壁３、４が内側に屈曲しやすくなる。
【００２６】
そして、端壁側フラップ９、１０に設けた三角形の折罫の内側（この三角形の折罫で囲まれた部分は、包装用容器を成形して、端壁側フラップ９、１０が三角形の翼部２１、２２となって下方に折り曲げられたときに内側になる面に当たる）には、端壁３、４の近傍に、左右に延びる切れ目からなる横全切線１３、１４とその中央より前記端壁の下方に延在する切れ目からなる縦全切線１５、１６とを有し、横全切線１３、１４の両端より前記縦全切線１５、１６の下端を結ぶ、斜めの折罫１７、１８、１９、２０が設けられている。本例では、斜めの折罫１７、１８、１９、２０は、実線状の半切れの切れ線（半切線）でも設けてある。
【００２７】
これによって、三角形の翼部２１、２２を下方に折り曲げられたとき、水平に戻ろうとする力をより低減させて、安定して下方に折り曲げられた状態を保つことができる。
【００２８】
側壁側フラップ７と、側壁側フラップ８の図の縦方向の長さをそれぞれ足した長さは、端壁３、４の横方向の長さより長くなっていて、包装用容器を組み立てて、側壁側フラップ７、８をそれぞれ倒したとき、側壁側フラップ７と、側壁側フラップ８の先端部どうしが重なりあうようになっている。
【００２９】
端壁側フラップ９、１０の中央折罫１１、１２を挟んだ、少なくとも片側の縦方向の長さは、端壁３、４の横方向の長さの二分の一より長くなっていて、包装用容器を組み立てて、側壁側フラップ７、８を倒すのと同時に、端壁側フラップ９、１０に設けた三角形の頂角をなす２辺の折罫で折って、端壁側フラップ９、１０を三角形の翼部２１、２２としたときに、端壁側フラップ９、１０の中央折罫１１、１２を挟んだ片側が、他方の片側の上に重なるようになっている。
【００３０】
また、重なり合ったときに、上になる側壁側フラップ８と、これに隣接する端壁側フラップ９、１０との間に切欠き２３、２４が端縁より形成されている。これにより、翼部２１、２２が下方に折り曲げられた時、端壁３、４が内側に屈曲すると共に側壁１、２が互いに近接する方向に移動して、上になる側壁側フラップ８が、下になる側壁側フラップ７の上に容易に重なるようになっている。
【００３１】
本例においては、持ち運び易くするために把手２５、２６を設けてある。把手２５、２６は、側壁側フラップ７、８の上方に折罫aと切れ目線ｂを介して連設してある。この折罫ａを設ける位置は、側壁側フラップ７、８を重なるように倒したとき、この折罫を谷折りして把手２５、２６が重なるようになる位置に設ける。
【００３２】
包装用容器の底は、側壁１の下方に連接した底面板２７と側壁２の下方に設けた床面板２８、そして、端壁３、４の下方に連設した屈曲板２９、３０、及び、屈曲板２９、３０に折罫を介して斜めに接続した貼着板３１、３２からなっている。
【００３３】
図２は、本発明の包装用容器の一例の底を組み立てた状態の正面図である。底の組み立
ては、図１の展開図のブランクを用いて、糊代５、側壁１、端壁３、側壁２、端壁４の間のそれぞれの折罫を折って糊代５を端壁４の内面に接着して、筒状とする。
【００３４】
次に、床面板２８を内方に折り、床面板２８に重なるように、底面板２７を折る。そして、折曲板２９、３０を折り、貼着板３１を底面板２７に、貼着板３２を床面板２８に接着して、底を形成する。これによって図２のような、上方が開放された包装用容器ができる。
【００３５】
この状態の包装用容器は、床面板２８、底面板２７を容器の内側に押し込むことによって、これらに接着している貼着板３１、３２が、内側に引っ張られ、折曲板２９、３０と貼着板３１、３２の間の折罫で折れながら、折曲板２９、３０も容器の内側に引っ張られて、平坦に折り畳むことができる。そのため、使用前にこの折り畳んだ状態で保管や輸送することができ、コスト的に有利である。
【００３６】
図３は、本発明の包装用容器の一例の底を組み立てた状態の側面図である。端壁３の上方に端壁側フラップ９が位置して、端壁側フラップ９には、三角形の折罫が設けられている。この三角形の折罫で囲まれた部分は、包装用容器を成形して、端壁側フラップ９、１０が三角形の翼部２１、２２となって下方に折り曲げられたときに内側になる面に当たる。
【００３７】
三角形の折罫の内側には、端壁３の近傍に、左右に延びる横全切線１３とその中央より端壁の下方に延在する縦全切線１５とを有し、横全切線１３の両端より前記縦全切線１５の下端を結ぶ、斜めの折罫１７、１８が設けられている。本例の横全切線１３は、中央が上に凸の折れ線状となっている。（図示しないが、横全切線１４、縦全切線１６、斜めの折罫１９、２０についても同様である。）
図４は、本発明の包装用容器の一例の底を組み立て、側壁側フラップを倒した状態の正面図、図５は、本発明の包装用容器の一例の底を組み立て、側壁側フラップを倒した状態の平面図である。
【００３８】
図２の上方が開放された包装用容器の側壁側フラップ７を倒して、次に側壁側フラップ８を側壁側フラップ７の上に重なるように倒す、このとき、把手２５、２６は、側壁側フラップ７、８との間の折罫で折って、起こしておき、把手２５と把手２６が裏面どうしで合わさり重なるようにする。
【００３９】
そして、端壁側フラップ９、１０はそれぞれに設けた二等辺三角形の頂角をなす２辺の折罫で折られ、端壁側フラップ９、１０は三角形の翼部２１、２２となる。
【００４０】
図６は、本発明の包装用容器の一例の側壁側フラップを倒し、端壁側フラップを下方に折り曲げた状態の正面図、図７は、本発明の包装用容器の一例の側壁側フラップを倒し、端壁側フラップを下方に折り曲げた状態の平面図である。
【００４１】
図４、図５の状態の包装用容器の三角形の翼部２１、２２となった端壁側フラップ９、１０を下方に折り曲げると、端壁３、４は内側に屈曲され、それに伴い、側壁１、２は互いに近接せしめられる。内側に屈曲した端壁３、４に対して下方向に押圧された翼部２１、２２により、側壁側フラップ７、８は、容器の上部において、閉じて、且つ、重なり合った状態に保持される。
【００４２】
この状態で、端壁側フラップ９、１０には、三角形の折罫の内側（この三角形の折罫で囲まれた部分は、包装用容器を成形して、端壁側フラップ９、１０が三角形の翼部２１、２２となって下方に折り曲げられたときに内側になる面に当たる）で、端壁３、４の近傍
に、左右に延びる横全切線１３、１４とその中央より前記端壁の下方に延在する縦全切線１５、１６とを有し、横全切線１３、１４の両端より前記縦全切線１５、１６の下端を結ぶ、斜めの折罫１７、１８、１９、２０が設けられているので、シート材のまっすぐに戻ろうとする力が、端壁側フラップ９、１０で形成された翼部２１、２２の裏側では働かず、容易に翼部２１、２２が水平方向に戻ろうとしないので、包装用容器が、不用意に開いてしまうことがない。
【符号の説明】
【００４３】
１、２・・・側壁
３、４・・・端壁
５・・・糊代
６・・・上蓋
７、８・・・側壁側フラップ
９、１０・・・端壁側フラップ
１１、１２・・・中央折罫
１３、１４・・・切抜部
１３、１４・・・横全切線
１５、１６・・・縦全切線
１７、１８、１９、２０・・・斜めの折罫
２１、２２・・・翼部
２３、２４・・・切欠き
２５、２６・・・把手
２７・・・底面板
２８・・・床面板
２９、３０・・・屈曲板
３１、３２・・・貼着板
【図１】
0005601032.tif 000002
【図２】
0005601032.tif 000003
【図３】
0005601032.tif 000004
【図４】
0005601032.tif 000005
【図５】
0005601032.tif 000006
【図６】
0005601032.tif 000007
【図７】
0005601032.tif 000008
【図８】
0005601032.tif 000009
【図９】
0005601032.tif 000010
【図１０】
0005601032.tif 000011
【図１１】
0005601032.tif 000012